(57)【要約】      （修正有）【課題】簡易な構造で、異種金属間で発生するガルバニック電流を発生させ、高い美容効果が期待できる塗布部付き容器を提供する。【解決手段】塗布部付き容器は、組成物収容部１と組成物塗布部３を設け、塗布部に回転体を２つ以上設ける。回転体１０の素材は、組成物収容部に収容された組成物及び／又は使用部位における体液のイオン化現象によって電位差が生じる金属から選択する。【選択図】図１
2018000827.tif 000002
【特許請求の範囲】
【請求項１】
組成物収容部と組成物塗布部を有し、
前記組成物塗布部には、回転体が２つ以上設けられ、
前記回転体の素材は、組成物収容部に収容された組成物及び／又は使用部位における体液のイオン化現象によって電位差が生じる金属から選択されたことを特徴とする塗布部付き容器。
【請求項２】
組成物収容部と組成物塗布部を有し、
前記組成物塗布部には、回転体が１つ設けられ、
前記回転体には、組成物収容部に収容された組成物及び／又は使用部位における体液のイオン化現象によって電位差が生じる金属部が２箇所以上有することを特徴とする塗布部付き容器。
【請求項３】
前記金属又は前記金属部が、金属の単体、合金、あるいは金属をメッキ処理から選択されたことを特徴とした請求項１又は請求項２記載の塗布部付き容器。
【請求項４】
前記組成物塗布部が回転可能であることを特徴とする請求項１〜請求項３記載の塗布部付き容器。
【発明の詳細な説明】
【技術分野】
【０００１】
本発明は、塗布部付き容器に関する。  
更に詳しくは、組成物塗布部に回転体を備えた容器に関する。
【背景技術】
【０００２】
従来から、回転体を備えた容器は多く用いられてきた。しかしながら、これらは、専ら塗布を簡便にすると共に、塗布時における回転体の圧力や振動による指圧効果を期待するものであった（特許文献１）。
【０００３】
一方、異種素材の回転体を備えた美容器が存在する（特許文献２）が、専ら体液にイオン化現象を付与させるものであるので、乾いた状態の肌で用いた場合には、体液のイオン化現象は期待できず、かえって皮膚に負担を与えるといった問題点があった。
【先行技術文献】
【特許文献】
【０００４】
【特許文献１】実開昭５０−３９１９６号公報
【特許文献２】特開平７−９６０１９号公報
【発明の開示】
【発明が解決しようとする課題】
【０００５】
本発明は上記の背景技術に鑑みてなされたものであって、本発明の目的は、簡易な構造で、異種金属間で発生するガルバニック電流を発生させ、高い美容効果が期待できる塗布部付き容器を提供することにある。更には、顔面におけるしわ部位といった狭い部位や、逆に頬部といった広い部位にも使いやすい容器を提供することにある。
【課題を解決するための手段】
【０００６】
第一発明においては、塗布部付き容器において、組成物収容部と組成物塗布部を設け、前記組成物塗布部に回転体を２つ以上設け、前記回転体の素材を組成物収容部に収容された組成物及び／又は使用部位における体液のイオン化現象によって電位差が生じる金属から選択することで、上記課題を解決した。
第二発明においては、塗布部付き容器において、組成物収容部と組成物塗布部を設け、前記組成物塗布部に回転体を１つ設け、前記回転体に、組成物収容部に収容された組成物及び／又は使用部位における体液のイオン化現象によって電位差が生じる金属部を２箇所以上設けることで、上記課題を解決した。
第三発明においては、前記金属又は金属部の材質を特定することで、上記課題を解決した。
第四発明においては、組成物塗布部を回転可能にすることで、上記課題を解決した。
【発明の効果】
【０００７】
本発明によれば、簡易な構造で、ガルバニック電流を発生させることができ、高い美容効果を得ることができる。また、組成物塗布部を回転可能にすることによって、しわ部といった狭い部位にも、頬部といった広い部位にも使いやすい容器を提供することができる。
【図面の簡単な説明】
【０００８】
【図１】回転体である球体を２つ設けた場合の本願容器斜視図
【図２】回転体である球体を２つ設けた場合の組成物塗布部拡大断面図
【図３】回転体である球体を２つ設けた場合において、組成物塗布部を回転させた状態の正面図
【図４】回転体である球体を３つ設けたチューブ容器斜視図
【図５】回転体をローラにした場合の本願容器正面図
【図６】１つの回転体に異種金属を配した場合の回転体（球体）のバリエーション
【図７】１つの回転体に異種金属を配した場合の回転体（ローラ）のバリエーション
【発明を実施するための最良の形態】
【０００９】
以下、本発明に係る塗布部付き容器を実施する為の最良の形態に関し、図面を参照して詳細に説明するが、本発明が以下の実施例に限定されるものでないことは、言うまでもない。
【００１０】
本発明に用いることのできる組成物収容部は特に限定されない。チューブタイプ、ジャータイプ、細口タイプ、ポンプタイプ、真空ポンプタイプであっても差し支えない。
【００１１】
本発明に用いることのできる組成物塗布部の形状は特に限定されない。回転体を備えることができれば差し支えない。正面視、円形、楕円形、正方形、長方形、台形、ひょうたん型等適宜選択できる。
【００１２】
組成物塗布部を設ける部位は、組成物収容部に延設されても良いし、薬剤や化粧料等の組成物を組成物塗布部へと誘導する誘導部を介しても良い。また、組成物塗布部が動かないように固定しても良いし、回転自在に設けることができるが、利便性の面から、回転機能は有したままで特定の位置で固定して用いることができること、いわゆるストッパー付きであることが好ましい。回転機能とストッパー機能の両方を備えれば、例えば、組成物塗布部の形状を正面視長方形とし、回転自在に設けた場合、組成物塗布を正面視縦長に位置させると、ほうれい線に沿って塗布することが可能になり、組成物塗布を正面視横長に位置させると、頬部などの広い面に塗布することが容易になるので便利である。ストッパー機能は、組成物塗布部の形状に合わせて、例えばアンダーカット等の公知の構造を採用できる。
【００１３】
本発明に用いることのできる回転体は、球体、円柱形のローラ等を用いることができる。球体だけ、ローラだけにしても良いし、球体とローラの双方を用いても良い。回転体の大きさは特に限定されないが、塗布のしやすさの観点から、直径0.3〜1.5ｃｍ、好ましくは0.7〜0.9ｃｍである。
【００１４】
本発明に用いることのできる回転体の素材は、使用時にガルバニック電流が発生するように、組成物収容部に収容された組成物及び／又は使用部位における体液のイオン化現象によって電位差が生じる金属を選択する。例えば、金、銀、銅、白金、亜鉛、チタン、ロジウム、パラジウム、イリジウム、ルテニウム、オスミウム、鉄、アルミニウム、リチウム等遷移金属の単体、ステンレス等の合金、あるいは遷移金属をメッキ処理したもの等から選択し、設けた回転体中に異なる金属が存在するようにすれば良い。もっとも、設ける回転体に異種金属が存在していれば、非金属の回転体を備えることを妨げるものではない。
使用する異種金属を選択するにあたっては、用いる異種金属間の電位差が大きくなれば発生するガルバニック電流も大きくなるので、目的に合わせて異種金属を選択すればよい。
【００１５】
本発明に用いることのできる回転体の数は、特に限定されない。
１つ設ける場合には、使用時にガルバニック電流が発生するように、１つの回転体中に異種金属が存在するようにする必要がある。この場合において、例えば、回転体を球体とした場合、球体をステンレスとし、その半球をクロムメッキとする場合や、球体をステンレスとした上で、サッカーボールの様に、クロムメッキを点在させることもできる。又、回転体を円柱ローラとした場合には、例えばローラの周側部の上下端部をステンレス、間に挟まれた部分をクロムメッキとすることもできる。これらの場合において、異種金属同士が接していると、異種金属間で直接通電が生じ、所望とする塗布部位上でのガルバニック電流が発生しない場合があるので、配置する金属と金属との間に絶縁体を配置することが好ましい。
【００１６】
本発明に用いることのできる回転体を２つ以上設ける場合の配置は特に限定されない。使用時にガルバニック電流が発生するような位置に配置すれば良い。近接した方がガルバニック電流の効果が期待できるが、離れた位置に設けることを妨げるものではない。
【００１７】
本発明に用いることのできる回転体保持部は、塗布する際に、回転体が、落下せずかつ回転することができる形状であれば特に限定されず、公知の方法を用いることができる。回転体を球体とした場合には、例えば、特開昭５０−１５６２９５号、特開２００７−１５２１２５号に記載の方法を用いることができる。回転体をローラとした場合には、例えば、特開２０１１−１８９３４２号、特開２０１２−２１０９５９号に記載の方法を用いることができる。
【実施例】
【００１８】
以下に、実施例を挙げて本願発明の具体例を示すが、本願発明は本実施例に限定されるものではない。特に例示している金属はほんの一例であることは言うまでもない。
【実施例１】
【００１９】
図１は、本発明における１実施態様であり、ディスペンサータイプの容器である。
図１では、薬剤や化粧品等を収納する組成物収納部１に、誘導部２を介して組成物塗布部３を設けた、いわゆる真空ポンプ式の容器である。組成物塗布部３には回転可能に設けられた回転体１０として球体１０ａを２つ設けている。球体１０ａの素材は、一方がステンレスで他方がステンレスに金メッキを施したものである。球体１０ａは、回転体保持部２０（図示せず）によって回転可能に保持されている。組成物塗布部３は、回転可能に設けられ、正面視垂直方向、水平方向の２段階でストッパー機能を発揮できるように、リブを設けている。
【００２０】
図１に記載した容器は、次のようにして使用する。
容器に設けられた指かけ部３０を押すと、公知のポンプ機能により、組成物収容部１に充填された組成物が、誘導部２に押し上げられる。押し上げられた組成物は、組成物塗布部３背面へと押し上げられ、球体１０ａと接触する。球体１０ａを顔などにあて、適当に移動させると、球体１０ａの回転に伴い組成物が顔などに塗布される。使用者が、ほうれい線等のしわ部位を集中的に塗布したい場合は、組成物塗布部３を正面視垂直方向に固定して使用すると、ほうれい線に沿って塗布することができる。使用者が、頬等の広い面に塗布したい場合は、組成物塗布部３を正面視水平方向に固定して使用すると、簡便に広い面を塗布することができる。尚、図２の断面図中に示した矢印は、使用時における組成物の流れを示している。
【実施例２】
【００２１】
図４に記載した容器は、回転体を３つ設けた場合のチューブタイプ容器である。本実施例では、組成物塗布部３は組成物収容部１に延設されており、誘導部２は存在しない。
組成物塗布部３を正面視円形にし、回転体１０として球体１０ａを３つ設けている。本実施例では、３つの球体１０ａは等間隔に設けているが、２つの球体１０ａ同士は近傍に設け、１つの球体１０ａは、他の球体とは離れた位置に設けても良い。本実施例においては、球体１０ａの素材は、１つは金メッキとし、残る２つはステンレスとした。
【００２２】
図４に記載した容器を使用する場合は、チューブを軽く握ると、組成物は組成物収容部１の口部まで押し出され、続いて組成物塗布部３の後方部へと移動し、球体１０ａに接触する。球体１０ａを顔などにあて、適当に移動させると、球体１０ａの回転に伴い組成物が顔などに塗布される。
【実施例３】
【００２３】
図５は、回転体１０をローラ１０ｂにした場合の容器である。ローラに置き換えた場合であっても原理は実施例１、実施例２と同じである。
【実施例４】
【００２４】
図６は、回転体１０を球体１０ａとし、１つの球体に異種金属を配する場合のバリエーションである。墨塗り部分は、絶縁体５０を示す。
（ａ）半球型
球体の半球を異種金属にした例である。
例えば球体の円周部に絶縁体５０を配し、半球毎に金属の種類を変えた場合である。Ｘをステンレスとし、Ｙを金メッキとすることができる。
（ｂ）サッカーボール型
ベースとなる金属に異種金属を点在させた例である。
例えば、Ｙをステンレスとし、絶縁体５０で隔てて、Ｘを金メッキとすることができる。
（ｃ）ストライプ型
異種金属をストライプ状に配置させた例である。
例えば、絶縁体５０で隔てて、Ｘを金メッキ、Ｙをステンレスとすることができる。
【００２５】
図７は、回転体１０をローラ１０ｂとし、１つのローラに異種金属を配する場合のバリエーションである。墨塗り部分は、絶縁体５０を示す。
（ａ）サンドイッチ型
ローラの両端と、中央部とで金属の種類を変えた例である。
例えば、絶縁体５０で隔てて、Ｘをステンレス、Ｙをクロムメッキとすることができる。
（ｂ）ストライプ型
図６の球体同様、異種金属をストライプ状に配置させた例である。
例えば、絶縁体５０で隔てて、Ｘをステンレス、Ｙを金メッキとすることができる。
（ｃ）分断型
図６の球体同様、ローラの左右で金属の種類を変えた例である。
例えば、Ｘをステンレス、Ｙを金メッキとすることができる。
尚、図６、図７はあくまで一例であり、同じ図面中でＸとしている部分が複数ある場合には、常に同種の金属である必要はなく、本願の目的が達成できる範囲であれば、異なる金属にすることを妨げるものではない。
【産業上の利用可能性】
【００２６】
本発明によれば、簡易な構造で、ガルバニック電流を発生させることができ、高い美容効果を得ることができるので、各種薬剤、化粧料等の塗布具として利用することができる。
【符号の説明】
【００２７】
１      組成物収容部
２      誘導部
３      組成物塗布部
１０    回転体
１０ａ  球体
１０ｂ  ローラ
２０    回転体保持部
３０    指かけ部
４０    軸体
５０    絶縁体
【図１】
2018000827.tif 000003
【図２】
2018000827.tif 000004
【図３】
2018000827.tif 000005
【図４】
2018000827.tif 000006
【図５】
2018000827.tif 000007
【図６】
2018000827.tif 000008
【図７】
2018000827.tif 000009